(57)【特許請求の範囲】
【請求項１】
ユーザに提示する情報の項目を設定する情報項目設定手段と、
前記情報項目設定手段により設定された項目に該当する情報を取得する情報取得手段と、
前記情報取得手段により取得された情報に対応する照明光の要素を設定する照明要素設定手段と、
前記情報取得手段により取得された情報に基づいて、前記照明要素設定手段により設定された照明光の要素を照射するための照明データを出力する照明データ出力手段と、
前記照明データ出力手段により出力された照明データを受信したことに応じて、当該照明データにより特定される要素の照明光を照射する光照射手段と
を備え、
前記照明要素設定部は、前記情報項目設定手段により設定された項目に該当する情報を提示するための照明光を照射する情報提示時期、及び、前記情報項目設定手段により設定された項目に該当する情報を提示しないときの照明光の照明要素を設定し、
前記光照射手段は、前記情報項目設定手段により設定された項目に該当する情報を提示しないときの照明光を照射した後に、前記情報提示時期内において、前記照明データに基づいて、前記情報項目設定手段により設定された項目に該当する情報を提示するための照明光を照射し、その後、再度、前記情報項目設定手段により設定された項目に該当する情報を提示しないときの照明光を照射することを特徴とする照明装置。
【請求項２】
前記照明データ出力手段及び前記光照射手段が、照明データを無線信号として通信可能な無線通信手段を備え、
前記照明データ出力手段と前記光照射手段とが分離して配置されること
を特徴とする請求項１に記載の照明装置。
【請求項３】
前記照明データ出力手段は情報端末から送信される情報に基づいて、前記照明要素設定手段により設定された照明光の要素を照射するための照明データを出力することを特徴とする請求項１又は請求項２に記載の照明装置。
【請求項４】
ユーザの存在を検知するユーザ検知手段を有し、
前記ユーザ検知手段により予め設定された時間に亘りユーザの不在を検知した場合に、前記情報取得手段、前記光照射手段のうち少なくとも一つの電源を停止させる電源制御手段を備えることを特徴とする請求項１乃至請求項３の何れか一項に記載の照明装置。
【発明の詳細な説明】
【技術分野】
【０００１】
本発明は、照明光を出力する照明装置に関する。
【背景技術】
【０００２】
従来より、光を利用して情報を通知するものとしては、例えば下記の特許文献１，２に記載されたものが知られている。
【０００３】
特許文献１には、地形を模擬したディスプレイに異なる発光色のＬＥＤランプをして構成されたものが記載されている。このディスプレイは、予め設定されたルールに従って、天気や気温に対して発光色を変更する。例えば、晴れる地域は青、曇る地域は紫、雨の地域は赤のような表示を行う。
【０００４】
特許文献２には、玄関で外出時に有益な情報を提示する天気情報提示システムが記載されている。この天気情報提示システムは、玄関スペースに天気情報を表示する表示装置を設けている。この天気情報提示システムは、天気情報を、壁面内に組み込まれた電線で表示装置に送信している。
【先行技術文献】
【特許文献】
【０００５】
【特許文献１】特許第４０５１２１３号（例えば段落００３０〜００３１）
【特許文献２】特開２００７−３１８３８３号公報
【発明の概要】
【発明が解決しようとする課題】
【０００６】
特許文献１は、発光色の異なるＬＥＤを配置したディスプレイを用いて情報の提示を行っている。したがって、ユーザは、ディスプレイに目を向けて情報の内容を確認する必要がある。
【０００７】
特許文献２は、表示装置を用いて天気情報等の提示を行っている。この特許文献２に記載された天気情報提示システムも、特許文献１と同様にディスプレイに目を向けて情報の内容を確認する必要がある。
【０００８】
そこで、本発明は、上述した実情に鑑みて提案されたものであり、ユーザに情報を取得するための行動をさせることなくスムーズに情報を提示できる照明装置を提供することを目的とする。
【課題を解決するための手段】
【０００９】
本発明の第１の態様に係る照明装置は、ユーザに提示する情報の項目を設定する情報項目設定手段と、前記情報項目設定手段により設定された項目に該当する情報を取得する情報取得手段と、前記情報取得手段により取得された情報に対応する照明光の要素を設定する照明要素設定手段と、前記情報取得手段により取得された情報に基づいて、前記照明要素設定手段により設定された照明光の要素を照射するための照明データを出力する照明データ出力手段と、前記照明データ出力手段により出力された照明データを受信したことに応じて、当該照明データにより特定される要素の照明光を照射する光照射手段とを備え、前記照明要素設定部は、前記情報項目設定手段により設定された項目に該当する情報を提示するための照明光を照射する情報提示時期、及び、前記情報項目設定手段により設定された項目に該当する情報を提示しないときの照明光の照明要素を設定し、前記光照射手段は、前記情報項目設定手段により設定された項目に該当する情報を提示しないときの照明光を照射した後に、前記情報提示時期内において、前記照明データに基づいて、前記情報項目設定手段により設定された項目に該当する情報を提示するための照明光を照射し、その後、再度、前記情報項目設定手段により設定された項目に該当する情報を提示しないときの照明光を照射することを特徴とする。
【００１１】
本発明の第２の態様に係る照明装置は、上記第１の態様の照明装置であって、前記照明データ出力手段及び前記光照射手段が、照明データを無線信号として通信可能な無線通信手段を備え、前記照明データ出力手段と前記光照射手段とが分離して配置されることを特徴とする。
【００１２】
本発明の第３の態様に係る照明装置は、上記第１又は第２の態様の照明装置であって、前記照明データ出力手段は情報端末から送信される情報に基づいて、前記照明要素設定手段により設定された照明光の要素を照射するための照明データを出力することを特徴とする。
【００１３】
本発明の第４の態様に係る照明装置は、上記第１乃至第３の態様の照明装置であって、ユーザの存在を検知するユーザ検知手段を有し、前記ユーザ検知手段により予め設定された時間に亘りユーザの不在を検知した場合に、前記情報取得手段、前記光照射手段のうち少なくとも一つの電源を停止させる電源制御手段を備えることを特徴とする。
【発明の効果】
【００１４】
本発明によれば、取得した情報に対応した照明光を照射するので、ユーザに情報を取得するための行動をさせることなくスムーズに情報を提示できる。
【図面の簡単な説明】
【００１５】
【図１】本発明の実施形態として示す照明装置の構成を示すブロック図である。
【図２】本発明の実施形態として示す他の照明装置の構成を示すブロック図である。
【図３】本発明の実施形態として示す更に他の照明装置の構成を示すブロック図である。
【図４】本発明の実施形態として示す更に他の照明装置の構成を示すブロック図である。
【発明を実施するための形態】
【００１６】
以下、本発明の実施の形態について図面を参照して説明する。
【００１７】
本発明の実施形態として示す照明装置は、例えば図１に示すように構成される。
【００１８】
この照明装置は、光照射部１、照明データ出力部２、照明要素設定部３、情報項目設定部４、情報取得部５を含む。
【００１９】
この照明装置は、照明の光によって、任意の場所にいるユーザに情報を提示する。この照明装置は、予め設定された項目の情報を自動で取得し、任意の場所に設置されている照明器具の照明光を変化させる。この任意の場所としては、屋内のリビング、キッチンや、自動車の車室、不特定多数のユーザが使用する空間等といったようにユーザが照明光を照射可能な場所であればよい。これにより、照明装置は、情報の内容をユーザの行動中においてスムーズに提示するものである。
【００２０】
光照射部１は、任意の場所を照射する照明器具を含む光照射手段として機能する。この光照射部１は、照明光の色等の照明要素を変更できる構成を有している。光照射部１は、照明データ出力部２から供給された照明データに基づいて、照明光の照明要素を変更する。なお、光照射部１は、どのような種類の照明であってもよい。
【００２１】
情報項目設定部４は、ユーザに提示する情報の項目を設定する情報項目設定手段として機能する。情報項目設定部４は、例えば住宅内のインターフォン操作パネルや、パーソナルコンピュータ等のユーザが操作可能なものにより実現可能である。情報項目設定部４は、複数のユーザが利用する場合に、ユーザごとに情報の項目を設定する。情報項目設定部４は、例えば、天気予報（降水確率、気温）、交通渋滞といった屋外情報が設定可能である。また、情報項目設定部４は、住宅の待機電力量、鍵の閉め忘れといった室内情報を設定することも可能である。更に、情報項目設定部４は、株価の上昇又は下降や、地震等の災害情報を設定することも可能である。情報項目設定部４によって設定された項目は、情報取得部５に供給される。
【００２２】
情報取得部５は、情報項目設定部４により設定された項目に該当する情報を取得する情報取得手段として機能する。情報取得部５は、例えば、無線回線又は有線回線を介して、インターネットまたは室内ＬＡＮに接続可能な通信機能を有する。情報取得部５は、情報項目設定部４で設定された項目の情報を取得する。情報取得部５は、取得した項目の情報を照明データ出力部２に供給する。なお、情報取得部５は、情報に変化があったか否かを監視し、情報に変化があった場合に、当該情報を照明データ出力部２に供給するようにしてもよい。
【００２３】
照明要素設定部３は、情報取得部５により取得された情報に対応する照明光の照明要素を設定する照明要素設定手段として機能する。照明要素設定部３は、例えば住宅内のインターフォン操作パネルや、パーソナルコンピュータ等のユーザが操作可能なものにより実現可能である。
【００２４】
照明要素設定部３は、例えば、あるユーザが天気予報を知りたい場合、晴れの場合には青の照明光、曇りの場合には黄色の照明光、雨の場合には赤の照明光と設定する。また、他のユーザが窓の鍵の閉め忘れを知りたい場合、施錠されている場合には青の照明光、閉め忘れがある場合には赤の照明光と設定する。更に、照明要素設定部３は、株価の上昇したときには青の照明光、株価が下降したときには赤の照明光と設定する。更に、照明要素設定部３は、地震等の災害情報の発生時には赤の照明光と設定する。
【００２５】
照明要素は、輝度、照度、色温度、照明カラー、波長などで指定される。これら照明要素は、ユーザが敏感に反応できる光の要素や、室内環境（その空間で認識がしやすい光の要素）に対応して、適切な照明効果を発揮して、情報の内容を伝えるよう組み合わせが設定される。また、照明要素は、時間に応じて点滅するなどの点灯状態であってもよい。
【００２６】
照明要素設定部３は、情報を提示するための照明光の照明要素を、あくまでもユーザがあらゆる作業ができるような照明光の範囲内で変更する。すなわち、照明要素設定部３は、ユーザが行動している最中に、当該行動に支障がないように照明光を変更する。これにより、照明装置は、ユーザが情報を見るという行動ではなく、自然な行動の最中に情報を認知させることを実現する。
【００２７】
照明データ出力部２は、と情報取得部５により取得された情報に基づいて、照明要素設定部３により設定された照明光の要素を照射するための照明データを出力する照明データ出力手段として機能する。照明データ出力部２は、情報取得部５により取得された情報を参照し、情報を提示するための照明光の照明要素を照明要素設定部３から取得する。例えば、設定された項目が天気情報であって晴れであることが取得されている場合、照明データ出力部２は、晴れを提示する青色の照明光とするための照明光の照明要素を、照明要素設定部３から取得する。照明データ出力部２は、取得した照明光の照明要素で光照射部１が作動する照明データを光照射部１に出力する。
【００２８】
これにより、光照射部１は、照明データ出力部２から出力された照明データによって作動して、取得した情報を提示できる。なお、取得した情報ごとに照明要素を変化させずに常に一般的な照明として使用するように設定してもよい。
【００２９】
以上のように、この照明装置によれば、取得した情報に対応した照明光を照射するので、ユーザに情報を取得するための行動をさせることなくスムーズに情報を提示できる。
【００３０】
この照明装置は、天候や渋滞状況などの情報を知りたい場合に、例えば事前に新聞やインターネット（パソコン、携帯、テレビ）で情報を収集する必要なく、情報を提示できる。これにより、照明装置は、情報収集や設備設置の作業をする必要なく、さらに情報を主体的に見に行く必要が無い。更に、照明装置は、高齢者のような情報端末の操作に慣れていなくても、自然な行動の中で有益な情報を提示できる。
【００３１】
上述した照明装置は、情報を提示する照明光の照射タイミングを制御できることが望ましい。このために、照明要素設定部３は、情報を提示するための照明光を照射する情報提示時期及び情報を提示しないときの照明光の照明要素を設定する。また、光照射部１は、照明要素設定部３により設定された情報提示時期内では情報を提示するための照明光を照射する。一方、光照射部１は、情報提示時期以外では情報を提示しないときの照明要素の照明光を照射する。
【００３２】
照明要素設定部３は、ユーザが情報を認識できるような期間に亘って情報を提示するための照明光を光照射部１から照射するように情報提示時期を設定する。例えば、照明装置は、光照射部１が設置された任意の場所の現れて所定の期間は当該任意の場所に合った通常の照明光を照射する。この通常の照明光を照射した後に、照明装置は、情報を提示するための照明光を照射する。照明装置は、情報を提示する照明光を照射した後に、再度、通常の照明光を照射する。これにより、ユーザは、通常の照明光から情報を提示するための照明光に変更したときに、自身が知りたい情報が提示されたことを認知し、情報の内容を確認できる。
【００３３】
照明装置は、情報を提示するための照明要素（照度、輝度、照明カラー）で照明光を照射すると、照明要素によっては視認性を低下させることがある。このため、照明装置は、照明要素設定部３で設定された照射タイミングとして照射開始までの待機時間、及び照射時間を設定する。これにより、照明装置は、情報を提示する照明要素の照明光を照射し、それ以外は通常の照明として使用する照明要素の照明光を照射できる。
【００３４】
更に、上述した照明装置は、図２に示すように、上述した光照射部１及び照明データ出力部２に無線通信機能（無線通信手段）を有した光照射部１’及び照明データ出力部２’を備えていてもよい。この照明装置は、照明データを無線信号として通信可能な無線通信機能によって、光照射部１’と照明データ出力部２’とを物理的に分離して配置できる。これにより、任意の場所の天井や壁に設置される照明器具を小型化することができる。また、無線にすることにより光照射部１’と照明データ出力部２’とを接続する配線を設置する手間を省ける。
【００３５】
更に、上述した照明装置において、図３に示すように、照明データ出力部２”は情報端末６から送信される情報に基づいて、照明要素設定部３により設定された照明光の要素を照射するための照明データを出力してもよい。
【００３６】
この情報端末６は、上述した情報項目設定部４及び情報取得部５が有する機能を備えている。この情報端末６は、携帯、パーソナルコンピュータなど、宅内に存在するものが利用可能である。情報端末６は、ユーザが任意の場所に訪れたときに、予め設定した項目の情報を照明データ出力部２”に送信する。
【００３７】
照明データ出力部２”と情報端末６とは、有線回線又は無線回線を介して情報の通信を行う。情報端末６は、あるユーザについて設定された項目の情報を取得して、照明データ出力部２”に出力する。照明データ出力部２”は、情報端末６からの情報を提示するよう照明データを光照射部１に出力する。
【００３８】
このような照明装置によれば、ユーザが既に所有している情報端末６を利用して、光照射部１により提示する情報を設定できる。
【００３９】
更に、上述した照明装置は、図４に示すように、ユーザ検知部７及び電源制御部８を備えていてもよい。ユーザ検知部７は、ユーザの存在を検知するユーザ検知手段として機能する。ユーザ検知部７は、例えば、人感センサ、カメラ等からなる。ユーザ検知部７は、ユーザの有無情報を電源制御部８に供給する。電源制御部８は、予め設定された時間に亘りユーザの不在を検知した場合に、各部の電源を停止する制御を行う（電源制御手段）。ユーザ検知部７は、タイマ等を内蔵し、予め設定された時間に亘りユーザの不在を検知する。予め設定された時間は、数時間等の任意の時間である。ユーザ検知部７は、予め設定された時間に亘りユーザの不在を検知した場合に、当該不在情報を電源制御部８に供給する。電源制御部８は、不在情報が供給された場合に、情報取得部５、光照射部１のうち少なくとも一つの電源を停止させる。なお、情報項目設定部４、照明要素設定部３はユーザの操作によって稼動するため、ユーザによる入力時以外は電源を停止すればよく、電源制御部８に接続されている必要はない。
【００４０】
このような照明装置は、電源停止によって電力消費を抑制できる。
【００４１】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００４２】
１、１’  光照射部１（光照射手段）
２、２’、２”  照明データ出力部（照明データ出力手段）
３  照明要素設定部（照明要素設定手段）
４、４’  情報項目設定部（情報項目設定手段）
５  情報取得部（情報取得手段）
６  情報端末
７  ユーザ検知部（ユーザ検知手段）
８  電源制御部（電源制御手段）
【図１】
0005988198.tif 000002
【図２】
0005988198.tif 000003
【図３】
0005988198.tif 000004
【図４】
0005988198.tif 000005